(57)【特許請求の範囲】
【請求項１】
プリアンブル部とデータ部とからなるパケットを拡散コードにより拡散変調して送信する送信部と、拡散変調されたパケットを受信して拡散コードにより逆拡散復調する受信部とを含むＣＤＭＡシステムに於いて、
前記送信部は、前記拡散変調されたパケットのプリアンブル部の長さと、アクセスタイミング間隔とが等しくなる送信タイミングを設定し、選択した前記送信タイミングで前記拡散変調されたパケットを送信する構成を備え、
前記受信部は、前記拡散変調された前記パケットの少なくとも前記プリアンブル部と拡散コードとの相関値を求めるマッチトフィルタと、前記相関値を基に求めた遅延プロファイルに従ったタイミング信号を抽出するタイミング抽出部と、該タイミング抽出部により前記遅延プロファイルに従って抽出したタイミング信号でそれぞれ逆拡散を行う複数の逆拡散処理部とを備えた
ことを特徴とするＣＤＭＡシステム。
【請求項２】
前記受信部は、前記マッチトフィルタからの時系列に従った相関値及び該相関値を巡回加算した巡回加算値を格納する相関値テーブルを含む加算処理部と、前記相関値テーブルの巡回加算値に従った前記遅延プロファイルによるタイミング信号を抽出するタイミング抽出部とを備えたことを特徴とする請求項１記載のＣＤＭＡシステム。
【請求項３】
前記受信部は、複数のアンテナ対応のブランチ構成を有し、且つ各ブランチ構成の逆拡散復調信号を合成する合成部を備えたことを特徴とする請求項１又は２記載のＣＤＭＡシステム。
【請求項４】
プリアンブル部とデータ部とからなるパケットを拡散コードにより拡散変調して送信する送信部と、拡散変調されたパケットを受信して拡散コードにより逆拡散復調する受信部とを含むＣＤＭＡシステムに於ける送受信装置に於いて、
前記送信部は、前記拡散変調されたパケットのプリアンブル部の長さと、アクセスタイミング間隔とが等しくなる送信タイミングを設定し、選択した前記送信タイミングで前記拡散変調されたパケットを送信する構成を備え、
前記受信部は、前記拡散変調された前記パケットの少なくとも前記プリアンブル部と拡散コードとの相関値を求めるマッチトフィルタと、前記相関値を基に求めた遅延プロファイルに従ったタイミング信号を抽出するタイミング抽出部と、該タイミング抽出部により前記遅延プロファイルに従って抽出したタイミング信号でそれぞれ逆拡散を行う複数の逆拡散処理部と、
該複数の逆拡散処理部からの逆拡散復調信号を合成する合成部とを備えた
ことを特徴とするＣＤＭＡシステムに於ける送受信装置。
【請求項５】
送信部からプリアンブル部とデータ部とからなるパケットを拡散コードにより拡散変調して送信し、拡散変調されたパケットを受信部により受信して拡散コードにより逆拡散復調するＣＤＭＡシステムに於けるランダムアクセス方法に於いて、
前記拡散コードにより拡散変調したパケットのプリアンブル部の長さとアクセスタイミング間隔とが等しくなるように送信タイミングを設定し、前記プリアンブル部を短周期の拡散コードで拡散変調し、前記データ部を長周期の拡散コードで拡散変調して、選択した前記送信タイミングで送信し、
拡散変調されたパケットを受信して、該パケットのプリアンブル部と、短周期の拡散コードとの相関値を繰り返し求めて巡回加算し、該巡回加算の結果を基に遅延プロファイルを求め、該遅延プロファイルに基づく複数のタイミングにそれぞれ同期した拡散コードを用いて逆拡散復調し、複数の逆拡散復調出力信号を合成して出力する過程を含む
ことを特徴とするランダムアクセス方法。
【発明の詳細な説明】
【０００１】
【発明の属する技術分野】
本発明は、ＤＳ−ＣＤＭＡ（Ｄirect Ｓequence Ｃode Ｄivision Ｍultiple Ａccess ）により移動通信等を行うＣＤＭＡシステム及びその送受信装置及びランダムアクセス方法に関する。
無線通信システムに於いて、ＦＤＭＡ方式，ＴＤＭＡ方式，ＣＤＭＡ方式等の各種のアクセス方式が知られており、ＣＤＭＡ方式は、ＦＤＭＡ方式やＴＤＭＡ方式に比較して送信電力を低減し、且つ同一周波数帯域により通信可能とする端末数を増大することができる。このＣＤＭＡ方式に於いて、ランダムアクセスを容易とし、且つ送信電力の低減を図ることが要望されている。
【０００２】
【従来の技術】
ＣＤＭＡ方式は、既に各種の方式が提案され、その一部は実用化されている。例えば、同期方式と非同期方式とがあり、同期方式は、拡散コードの先頭位置のタイミングを、ＧＰＳ等による正確な時刻情報を基に同期をとって拡散変調及び逆拡散復調を行うことにより、音声やデータ等の送受信を行うものである。しかし、基地局や移動局が高価な構成となる問題がある。
【０００３】
又非同期方式は、拡散コードの先頭位置のタイミングについての同期を必要としないが、受信側に於いては、受信信号に含まれる拡散コードの先頭位置を検出し、この先頭位置に同期した拡散コードを用いて逆拡散復調を行う必要がある。又パケット通信に於ける純アロハ（ｐｕｒｅ  ＡＬＯＨＡ）方式やスロット付きアロハ（ｓｌｏｔｔｅｄ  ＡＬＯＨＡ）方式等にＣＤＭＡ方式を適用することも知られている。
【０００４】
このＣＤＭＡ方式を適用したパケット通信に於いて、例えば、所定長のデータ部の先頭にプリアンブル部を付加してパケットを構成し、このプリアンブル部を含む予約パケットについては短周期の拡散コードにより拡散し、伝送パケットについては長周期の拡散コードにより拡散して送信し、受信側は、短周期の拡散コードとの相関値を求め、この相関値が大きくなるタイミングを検出し、このタイミングを基に長周期の拡散コードによって伝送パケットを逆拡散復調する構成も提案されている。この場合のプリアンブル部は、パケット長の５％程度の長さで済むことも知られている。
【０００５】
【発明が解決しようとする課題】
前述のような非同期方式のＣＤＭＡシステムに於いては、同期を確実にとると同時に受信特性の向上及び送信電力の低減を図り、ランダムアクセスを容易にすることが要望される。そこで、ＲＡＫＥ受信方式やダイバーシチ方式を適用することが考えられる。
【０００６】
又前述のようにアロハ方式を適用することが提案されている。このアロハ方式に於いては、ランダムアクセスの場合、純アロハ方式がスロット付きアロハ方式より優れていると言われている。しかし、純アロハ方式を適用した場合、遅延プロファイルを示す複数の遅延波が、単一アクセスの場合の複数パスによるものであるか、又は複数の時間差のあるアクセスによるものであるか区別することができない。従って、遅延プロファイルを基にＲＡＫＥ受信を行うことは困難であった。
【０００７】
又前述の予約パケットと伝送パケットとについて、短周期の拡散コードと長周期の拡散コードとを切替えて、逆拡散復調する必要があり、受信側の構成及び制御が複雑となる問題がある。
本発明は、ランダムアクセスを行うと共に、ＲＡＫＥ受信方式の適用を可能として受信特性の向上を図り、それによって送信電力の低減を図ることを目的とする。
【０００８】
【課題を解決するための手段】
本発明のＣＤＭＡシステムは、（１）プリアンブル部とデータ部とからなるパケットを拡散コードにより拡散変調して送信する送信部と、拡散変調されたパケットを受信して拡散コードにより逆拡散復調する受信部とを含むＣＤＭＡシステムに於いて、送信部は、拡散変調されたパケットのプリアンブル部の長さと、アクセスタイミング間隔とが等しくなる送信タイミングを設定し、選択した前記送信タイミングで前記拡散変調されたパケットを送信する構成を備え、受信部は、拡散変調されたパケットの少なくともプリアンブル部と拡散コードとの相関値を求めるマッチトフィルタと、相関値を基に求めた遅延プロファイルに従ったタイミング信号を抽出するタイミング抽出部６と、このタイミング抽出部６により遅延プロファイルに従って抽出したタイミング信号でそれぞれ逆拡散を行う複数の逆拡散処理部２１，２２，２３とを備えている。又これらの逆拡散処理部２１，２２，２３からの逆拡散復調信号を合成する合成部８を備えることができる。この場合、逆拡散部２１，２２，２３と合成部８とによりＲＡＫＥ受信を行うことができる。
【０００９】
又（２）前述のＣＤＭＡシステムは、マッチトフィルタ３からの時系列に従った相関値及び該相関値を巡回加算した巡回加算値を格納する相関値テーブル７を含む加算処理部４と、相関値テーブル７の巡回加算値に従った遅延プロファイルによるタイミング信号を抽出するタイミング抽出部６とを備えている。
【００１０】
又（３）前述のＣＤＭＡシステムに於ける受信部は、複数のアンテナ対応のブランチ構成を有し、且つ各ブランチ構成の出力信号を合成する合成部を備えている。即ち、スペース・ダイバーシチ方式を適用して受信特性を向上することができる。
【００１１】
又本発明のＣＤＭＡシステムに於ける送受信装置は、（４）プリアンブル部とデータ部とからなるパケットを拡散コードにより拡散変調してランダムアクセスにより対向装置と送信する送信部と、対向装置からの拡散変調された信号を受信して前記拡散コードにより逆拡散復調する受信部とを含むＣＤＭＡシステムに於ける送受信装置に於いて、受信部は、拡散変調されたパケットの少なくとも前記プリアンブル部と拡散コードとの相関値を求めるマッチトフィルタ３と、相関値を基に求めた遅延プロファイルに従ったタイミング信号を抽出するタイミング抽出部６と、このタイミング抽出部６により前記遅延プロファイルに従って抽出したタイミング信号でそれぞれ逆拡散を行う複数の逆拡散処理部２1 ，２2 ，２3 と、この複数の逆拡散処理部２1 ，２2 ，２3 からの逆拡散復調信号を合成する合成部８とを備えている。
【００１２】
又本発明のランダムアクセス方法は、（５）プリアンブル部とデータ部とからなるパケットを拡散コードにより拡散変調してランダムアクセスにより送信し、この拡散変調された信号を受信して前記拡散コードにより逆拡散復調するＣＤＭＡ方式に於けるランダムアクセス方法に於いて、パケットの少なくともプリアンブル部と短周期の拡散コードとの相関値を繰り返し求めて巡回加算し、この巡回加算結果を基に遅延プロファイルを求め、この遅延プロファイルに基づく複数のタイミングにそれぞれ同期した拡散コードを用いて、前記拡散変調された受信信号の逆拡散復調を行い、この逆拡散復調出力信号を合成して出力する過程を含むもので、短周期の拡散コードを用いた場合、データ部も含めて同一の拡散コードで拡散変調するから、受信側は、同一の拡散コードを用いて逆拡散復調することができ、又プリアンブル部或いはデータ部も含めて遅延プロファイルを求めることにより、ＲＡＫＥ受信が可能となる。
【００１３】
又本発明のランダムアクセス方法は、（６）プリアンブル部とデータ部とからなるパケットを拡散コードにより拡散変調してランダムアクセスにより送信し、該拡散変調された信号を受信して前記拡散コードにより逆拡散復調するＣＤＭＡ方式に於けるランダムアクセス方法に於いて、パケットの送信側は、スロット付きアロハ方式に従ったタイミングにパケットを送信し、受信側は、スロット付きアロハ方式に従って周期的に前記パケットの少なくともプリアンブル部と拡散コードとの相関値算出を開始し、この相関値を基に遅延プロファイルを求め、この遅延プロファイルに基づく複数のタイミングにそれぞれ同期した拡散コードを用いて、前記拡散変調された受信信号の逆拡散復調を行い、この逆拡散復調出力信号を合成して出力する過程を含むものである。この場合、長周期の拡散コードを用いても、受信側に於ける同期がとりやすくなり、且つＲＡＫＥ受信が可能となる。従って、更に長周期の拡散コードを用いることにより、長い遅延プロファイルを求めることができ、ランダムアクセスに於ける受信特性を向上することができる。
【００１４】
又前述のランダムアクセス方法に於いて、（７）送信側は、パケットの送信タイミングの間隔を、パケットのプリアンブル部の長さと等しくなるように設定する。この場合、プリアンブル部を用いて遅延プロファイルを求める構成を、繰り返し使用することができる。
【００１５】
【発明の実施の形態】
図１は本発明の第１の実施の形態の説明図であり、１は受信復調部、２1 〜２3 は逆拡散処理部、３はマッチトフィルタ（ＭＦ）、４は加算処理部、５は制御部、６はタイミング抽出部、７は相関値テーブル、８は合成部、９はアンテナである。なお、送受信データの処理部や送信部等の構成は既に知られている構成を適用できるもので、図示を省略している。
【００１６】
ＣＤＭＡシステムに於ける送信信号は、数１００ＭＨｚ乃至数ＧＨｚの高周波信号により変調されており、アンテナ９により受信し、受信復調部１により変調信号を復調した受信信号は、拡散コードにより拡散変調された状態であり、逆拡散処理部２1 〜２3 とマッチトフィルタ３とに入力される。このマッチトフィルタ３は、受信信号と拡散コードとの相関値を出力するものであり、又加算処理部４は、時系列上の相関値を相関値テーブル７に順次格納して巡回加算し、その巡回加算値を格納するものである。
【００１７】
又タイミング抽出部６は、巡回加算値を基に遅延プロファイルを求め、この遅延プロファイルを基にタイミング信号を抽出して逆拡散処理部２1 〜２3 に加える。この場合、巡回加算値の大きいものから順に所定個数を選択し、それぞれのタイミングに従ったタイミング信号を抽出するものである。又逆拡散処理部２1 〜２3 は、タイミング信号に同期した拡散コードを発生して、受信信号を逆拡散復調し、逆拡散復調出力信号を合成部８により合成して図示を省略したデータ処理部等に転送する。従って、複数の逆拡散処理部２1 〜２3 がＲＡＫＥ方式の各フィンガーに相当する。即ち、ＲＡＫＥ受信により受信特性を向上することができる。
【００１８】
又合成部８は、各逆拡散処理部２1 〜２3 の逆拡散復調出力信号の位相を一致するように制御し、又レベルについては単純に加算する構成や相関値の大小に対応した重み付けを行って加算する方式等を適用することができる。又制御部５は、相関値の巡回加算等の処理を行う加算処理部４及びタイミング抽出部６を制御するものである。
【００１９】
図２はマッチトフィルタの説明図であり、受信信号を入力してシフトする例えば６４ビット構成のシフトレジスタ１１と、このシフトレジスタ１１と同一のビット構成の拡散コード系列を設定する０〜６３で示す領域を有するレジスタ１２と、シフトレジスタ１１とレジスタ１２との間のビット対応に乗算する乗算器１３と、乗算器１３の出力信号を加算する加算部１４とを含む構成を有し、又受信信号は、プリアンブル部ＰＡとデータ部とからなるパケット形式の構成であり、例えば、拡散コードのチップ周期でサンプリングされ、ＡＤ変換により−１．０〜＋１．０と間のディジタル値となる。
【００２０】
この場合、シフトレジスタ１１は、受信信号のサンプリング周期に従って１チップ周期毎に受信信号をシフトすることになる。なお、受信信号をオーバーサンプリングし、即ち、拡散コードの１チップ周期より短い周期でサンプリングしてＡＤ変換し、シフトレジスタ１１は、そのサンプリング周期に従って受信信号をシフトする構成として、相関値の精度を上げる構成が一般的であるが、説明の便宜上、前述のように、１チップ周期毎に受信信号をサンプリングしてシフトする場合を示す。
【００２１】
このシフトレジスタ１１の各段の出力信号と、レジスタ１２に設定された拡散コード系列の各ビットとを、１シフト毎に乗算器１３に於いて乗算し、その乗算結果を加算部１４に於いて加算して相関値とするものである。この相関値を時間軸上に配列すると、下方に示すように、例えば、τ０，τ１，τ２に於いて相関値が大きくなる遅延プロファイルが得られる。この遅延プロファイルは、フェージングや移動端末の移動等に従って変化するものである。
【００２２】
図３は相関値テーブルの説明図であり、加算処理部３の相関値テーブル７の内容の一例を示すものである。この相関値は、“１”，“−１”の組合せの拡散コードの各ビットと、−１．０〜＋１．０のディジタル値からなる受信信号とを乗算したものであり、従って、各相関値は、１以下の値となる場合を示している。そして、時間０〜６３の６４タイミングに於ける相関値(1) 〜(10)を順次格納し、この相関値(1) 〜(10)の巡回加算により求めた値を格納する。このような巡回加算により、雑音の影響を低減した相関値を得ることができる。又矢印で示す７．８が巡回加算値が最大値であることを示している。
【００２３】
前述のタイミング抽出部６は、相関値テーブル７の巡回加算値を基に遅延プロファイルを求める。この遅延プロファイルは、複数の極大値を有し、その極大値は、遅延時間の大きくなるに従って小さくなる傾向の曲線で表されるものとなり、この遅延プロファイルの極大値となるタイミングを抽出するものである。なお、簡単化の為に、相関値が図２に示すように表される場合は、相関値が大きい順に選択して、それぞれのタイミングを抽出し、逆拡散処理部２1 〜２3 にそれぞれ異なるタイミング信号を加えることになる。
【００２４】
図４は本発明の実施の形態の動作説明図であり、（Ａ）はパケットを構成するプリアンブル部ＰＡ及びデータ部の長さに比較して拡散コードの周期が短い場合を示し、この短周期の拡散コードが、例えば、６４チップ構成の場合に、１チップ周期でシフトレジスタ１１（図２参照）をシフトすることにより、図３に示すような相関値(1) 〜(10)が得られることになる。
【００２５】
又ランダムアクセス時に於いては、各パケットのプリアンブル部ＰＡの先頭タイミングがずれることになるから、遅延プロファイルも各パケット対応に分離可能となり、各パケットについての相関値に基づくタイミング抽出により、受信逆拡散復調を行うことができる。
【００２６】
又相関値テーブル７は、パケットのプリアンブル部ＰＡについての相関値を格納する構成とするか、又は、更にデータ部についての相関値も格納する構成とすることができる。即ち、プリアンブル部ＰＡのみでなく、データ部も含めて短周期の拡散コードによる相関値を求め、その相関値に基づく遅延プロファイルに従ったタイミングを抽出することにより、比較的高速に変動する伝搬路の状態変化に追従したＲＡＫＥ受信を行わせることができる。又一旦相関値を格納した後に、巡回加算を行う構成を示すが、相関値が求まる毎に巡回加算を行い、その巡回加算値を格納する構成とすることもできる。この場合、相関値テーブル７の記憶容量を小さくすることができる。
【００２７】
又図４の（Ｂ）は、各パケットのプリアンブル部ＰＡの長さとアクセスタイミングとの間隔を等しくし、そのアクセスタイミングを選択して拡散変調パケットの送信タイミングとすることを示すものである。従って、拡散変調パケットの受信側に於いては、プリアンブル部ＰＡの長さに相当する時間間隔で、プリアンブル部ＰＡについての相関値による遅延プロファイル測定を開始することができるから、アクセスタイミングに従った送信タイミングで送信した拡散変調パケットについてのタイミング抽出が可能となり、受信逆拡散復調を行うことができる。即ち、アクセスタイミングに従ったランダムアクセスを行うことができる。又拡散コードは、長周期の基準タイミングが既知であるから、短周期又は長周期の何れに対しても適用可能となる。
【００２８】
又図４の（Ｃ）は、拡散コードの周期が長い場合の一例を示し、マッチトフィルタ３に於けるレジスタ１２を、長周期の拡散コードを複数に分割して設定するように構成して、マッチトフィルタ３の回路規模の縮小を図った場合を示す。この場合、アクセスタイミングが設定されるスロット付きＡＬＯＨＡ方式を適用し、且つ拡散コードを複数に分割したコード部分の先頭位置（１）に於いてそのコード部分▲１▼をＭＦ設定コードとして示すように、マッチトフィルタ３のレジスタ１２に設定する。
【００２９】
そして、プリアンブル部ＰＡとデータ部とからなるパケット形式の受信信号についての相関値を求め、例えば、図３に示す相関値テーブルを形成する。この図３に於いては、０〜６３の場合を示しているが、長周期の場合は、例えば、０〜２５５となる。そして、拡散コードの次のコード部分の先頭位置（２）に於いてそのコード部分▲２▼を、マッチトフィルタ３のレジスタ１２に設定して、受信信号についての更に続きの相関値を求める。このような処理を繰り返して、相関値を求め、それを基にした遅延プロファイルに従ってタイミング抽出を行うことができる。
【００３０】
図５は本発明の第２の実施の形態の説明図であり、２０1 〜２０3 はアンテナ、２１1 〜２１3 は図１に示す構成を有する受信逆拡散復調部、２２1 〜２２3 は遅延調整部、２３は合成部である。この実施の形態は、複数の受信拡散復調部２１1 〜２１3 がスペース・ダイバーシチ方式の各ブランチに相当し、且つ各受信拡散復調部２１1 〜２１3 は、前述の図１に示すＲＡＫＥ方式を適用した構成を有するものである。
【００３１】
又遅延調整部２２1 〜２２3 は、各受信逆拡散復調部２１1 〜２１3 の出力信号の位相を調整して合成部２３に於いて合成する為のものであり、この場合の合成手段としては既に知られている各種の手段を適用することができる。例えば、合成部２３の出力信号レベルが最大となるように、各遅延調整部２２1 〜２２3 の遅延量（位相）を制御する手段や、各受信逆拡散復調部２１1 〜２１3 に於ける受信レベルに対応した重み付けを行って合成する手段等を適用することができる。
【００３２】
図６は本発明の第３の実施の形態の説明図であり、３０は移動端末、３１はアンテナ、３２は送受共用器（ＤＵＰ）、３３は受信部、３４は送信部、３５は送信タイミング抽出部、４０は基地局、４１はアンテナ、４２は送受共用器（ＤＵＰ）、４３は受信逆拡散復調部、４４は送信処理部、４５は下り信号生成部、４６はタイミング発生部、４７は遅延プロファイル測定部、４８1 〜４８3 は逆拡散処理部である。
【００３３】
この実施の形態は、スロット付きアロハ方式を適用した場合を示し、移動端末３０の受信部３３は、拡散変調された信号を受信し、拡散コードにより逆拡散復調する構成を有し、又送信部３４は、拡散コードにより下りのスロットタイミングに同期して送信データを拡散変調して送信する構成を有するものである。
【００３４】
又基地局４０の受信逆拡散復調部４３は、図１に示す構成と同様な構成を有し、逆拡散処理部４８1 〜４８3 は、図１に於ける逆拡散処理部２1 〜２3 に相当するものであるが、逆拡散復調出力信号を合成する合成部８は図示を省略している。又受信復調部１に相当する構成も図示を省略している。又遅延プロファイル測定部４７は、図１に於けるマッチトフィルタ３と、加算処理部４と、制御部５と、タイミング抽出部６とを含む構成に相当し、例えば、相関値の巡回加算値を基に遅延プロファイルを求めるものである。又送信処理部４４は、拡散変調部や送信変調部等を含むものである。
【００３５】
基地局４０は、タイミング発生部４６からのスロットタイミング信号に従って、下り信号生成部４５に於いて生成したプリアンブル部とデータ部とからなるパケットを、送信処理部４４に於いて拡散変調し、送受共用器４２を介してアンテナ４１から送信する。即ち、下り基準信号を送信する。この場合の下り基準信号を、前述の図４の（Ｂ）に示すように、プリアンブル部ＰＡの長さと一致する時間間隔のアクセスタイミングを選択して送信タイミングとし、その送信タイミングで、拡散変調したパケットを送信する。
【００３６】
移動端末３０は、この下り基準信号を、アンテナ３１，送受共用器３２を介して受信部３３により受信処理し、送信タイミング抽出部３５に於いてこの下り基準信号を検出して、送信タイミング信号とし、送信部３４は、この送信タイミング信号に従ってランダムアクセスを行うことになる。
【００３７】
基地局４０の遅延プロファイル測定部４７は、前述のプリアンブル部ＰＡの長さと一致する時間間隔のアクセスタイミングを選択した送信タイミングで移動端末３０から送信したパケットを受信し、そのパケットのプリアンブル部ＰＡについて、前述のタイミングで拡散コードとの相関値算出を開始し、プリアンブル部ＰＡ対応に巡回加算により雑音の影響を低減した巡回加算値を求め、この巡回加算値を基に遅延プロファイルを求め、逆拡散処理部４８１〜４８３にそれぞれのタイミング信号を加える。逆拡散処理部４８１〜４８３は、そのタイミング信号に同期した拡散コードにより受信拡散変調パケットを逆拡散復調する。従って、ＲＡＫＥ方式により受信処理して受信特性を改善することができる。
【００３８】
【発明の効果】
以上説明したように、本発明は、プリアンブル部とデータ部とからなるパケットを、短周期の拡散コードで拡散変調した場合は、少なくともプリアンブル部について、或いはデータ部も含めて、短周期の拡散コードとの相関値を求め、この相関値を基に遅延プロファイルを求めて、遅延プロファイルに従ったタイミング信号を抽出し、それによってＲＡＫＥ方式による受信処理を可能とし、受信特性を向上し、それにより送信電力の低減を図ることができる。
【００３９】
又スロット付きアロハ方式を適用した場合、送受信遅延時間を推定できることにより、長周期の拡散コードにより拡散変調しても、受信側に於いて同期をとることが容易となる。又前述と同様にＲＡＫＥ方式による受信処理が可能となり、受信特性を向上し、それにより送信電力の低減を図ることができると共に、短周期より更に長い遅延プロファイルの分離ができるから、ランダムアクセスが容易となる利点がある。
【００４０】
ＲＡＫＥ方式と共にスペース・ダイバーシチ方式を適用して、更に受信特性を向上することも容易であり、送信電力の低減を図ることにより、移動端末の使用可能時間を延長し、且つ同一エリア内の移動端末の収容個数の増加を図ることも可能となる。
【図面の簡単な説明】
【図１】本発明の第１の実施の形態の説明図である。
【図２】マッチトフィルタの説明図である。
【図３】相関値テーブルの説明図である。
【図４】本発明の実施の形態の動作説明図である。
【図５】本発明の第２の実施の形態の説明図である。
【図６】本発明の第３の実施の形態の説明図である。
【符号の説明】
１  受信復調部
２1 〜２3   逆拡散処理部
３  マッチトフィルタ（ＭＦ）
４  加算処理部
５  制御部
６  タイミング抽出部
７  相関値テーブル
８  合成部
９  アンテナ
【図１】
0003800363.tif 000002
【図２】
0003800363.tif 000003
【図３】
0003800363.tif 000004
【図４】
0003800363.tif 000005
【図５】
0003800363.tif 000006
【図６】
0003800363.tif 000007